(57)【要約】【課題】ロータリーエンコーダなど回転型電気部品を実装する場合における回転軸に嵌合するつまみとパネル孔の偏芯、及び偏芯が原因による引掛り動作不良を防止することができる構造簡易な回転つまみを提供する。【解決手段】音響機器のパネルに設けられた穴を通して所要長さ突出し、残部が奥方の電気部品の回転軸に嵌合されるつまみであって、前記つまみは、少なくとも前記パネルの穴近傍において、回転軸とつまみ外周部分が半径方向で可縮性のある複数のリブで連結されている。【選択図】図３
2007242458.tif 000002
【特許請求の範囲】
【請求項１】
音響機器のパネルに設けられた穴を通して所要長さ突出し、残部が奥方の電気部品の回転軸に嵌合されるつまみであって、前記つまみは、少なくとも前記パネルの穴近傍において、回転軸とつまみ外周部分が半径方向で可縮性のある複数のリブで連結されていることを特徴とする回転つまみ。
【請求項２】
つまみが、回転軸を嵌合する内筒部と、パネル穴に対応する形状の外筒部とを有し、円周上で等間隔に配された弧状のリブの両端が前記外筒部の内径と前記内筒部の外径に連結されていることを特徴とする請求項１に記載の回転つまみ。
【請求項３】
つまみが本体とキャップからなっていることを特徴とする請求項２に記載の回転つまみ。
【発明の詳細な説明】
【技術分野】
【０００１】
本発明は音響機器などにおける操作に用いられる回転つまみに関する。
【背景技術】
【０００２】
車載用オーディオなどで代表される音響機器においては、ボリューム（音量）・を調整したり、周波数帯を調整したりするために回転操作つまみが用いられている。
図１はその例を示しており、基板上１００に複数のロータリーエンコーダ４００が実装されている場合、操作つまみ３００はそれぞれのエンコーダ４００の軸４０１に強嵌合で組込みされる。また、前記基板１００はパネル（エスカッション）２００にネジにて固定される。
【０００３】
ここで、複数個のエンコーダ４００が同一基板上に実装されている場合、エンコーダ４００の実装位置ばらつきなどにより、ある１つのエンコーダを基準に組込みしたとしても、他方のエンコーダ位置とパネル穴の位置ずれ（偏芯）が引き起こされる。このようにエンコーダ４００とパネル穴２０１の偏芯が発生すると、図２の右側部分のように、偏心eによりエンコーダ軸４０１に嵌合されている操作つまみ３００の外周とパネル穴２０１の内周が干渉し、その結果、操作つまみ３００の動作不良（引掛り、擦れ等）が発生する。
【０００４】
上記不具合の対策方法として、パネル穴２０１と操作つまみ３００のクリアランスを拡大する方法があるが、外観上の操作つまみ偏芯状態は改善されないので、商品価値の低下を招き、また、パネル穴２０１を大きくすることにより、埃などの外部から異物が侵入しやすくなる問題もあった。
【特許文献１】特開平７−２２９９８２号公報
【発明の開示】
【発明が解決しようとする課題】
【０００５】
本発明は前記のような問題点を解消するためになされたもので、その目的とするところは、ロータリーエンコーダなど回転型電気部品を実装する場合における回転軸に嵌合するつまみとパネル孔の偏芯、及び偏芯が原因による引掛り動作不良を防止することができる構造簡易な回転つまみを提供することにある。
【課題を解決するための手段】
【０００６】
上記目的を達成するため本発明は、音響機器のパネルに設けられた穴を通して所要長さ突出し、残部が奥方の電気部品の回転軸に嵌合されるつまみであって、前記つまみは、少なくとも前記パネルの穴近傍において、回転軸とつまみ外周部分が半径方向で可縮性のある複数のリブで連結されていることを特徴としている。
【発明の効果】
【０００７】
本発明によれば、回転軸とつまみ外周部分がつまみ半径方向に可縮性のあるリブで連結されているので、回転軸の軸線とパネル穴の軸線とが芯ずれを有していても、反偏心側にあるリブが縮んでパネル穴との接触面圧増大を吸収することができ、これにより、つまみ外周とパネル穴との偏芯及びこれが原因による引掛り動作不良を防止することが可能となり、操作性及び外観をよくすることができる。また構造も簡単で、安価に実施できるなどのすぐれた効果が得られる。
【発明を実施するための最良の形態】
【０００８】
好適には、つまみが、回転軸を嵌合する内筒部と、パネル穴に対応する形状の外筒部とを有し、円周上で等間隔に配された弧状のリブの両端が前記外筒部の内径と前記内筒部の外径に連結されている。
【０００９】
つまみが本体とキャップからなっている。
これによれば、キャップを本体から分離して実装することにより軸方向が可視されるため、回転軸への嵌合が容易となり、また、つまみ外周面とパネル穴との干渉具合の確認も容易となる。
【実施例１】
【００１０】
以下添付図面を参照して本発明の実施例を説明する。
図３ないし図６は本発明にかかる回転つまみの一実施例を示している。
図３は全体の構成を示しており、１は音響機器のプリント基板であり、前面側に複数の回転操作型電気部品ここではロータリーエンコーダ４が所要の間隔をおいて搭載されている。ロータリーエンコーダ４はそれぞれ回転軸４０が突出している。
２は前記プリント基板1に対峙するパネルであり、組立時に前記プリント基板1とねじで一体化される。前記パネル２には前記ロータリーエンコーダに対応する位置につまみ挿入用の穴２０が形成されている。
【００１１】
３は本発明で特徴とする操作用のつまみであり、本体３ａと本体３ａの前端に固定されるキャップ３ｂからなり、曲げに対する耐久性が高く、弾力性のある材料たとえばＡＢＳ等の樹脂で構成されている。
前記本体３ａは、前記回転軸４０に外嵌固着される内筒部３０と、前記パネル２の穴２０と同形状をなした外筒部３１を有している。しかも、内筒部３０と外筒部３１間には、半径方向で可縮性を有する複数のリブ３２が、円周上で等間隔に位置している位置していて、それらリブ３２の両端が、前記内筒部外径と外筒部内径につながっている。
【００１２】
ここで、リブ３２はこの例では円弧状（略半周長）をなし、弧のすべてが同じ方向に向いている。リブ３２は厚さが内筒部３０や外筒部３１よりも薄く、材質特性とあいまって弾性変形が自在となっている。リブ３２は３６０度の全方位で可縮性が得られるよう、少なくとも１２０度間隔従って３個設けられることが好ましい。
リブ３２は押し出し成形などの成形法の適用ともあいまって、本体３ａの全長にわたって形成されることがベターであるが、場合によっては全長でなく、パネル穴２０の厚さ分プラス前後所要範囲にだけ形成してもよい。
なお、前記キャップ３ｂの本体３ａに対する組付けは、嵌合でもよいし、接着でもよい。
【００１３】
実施例の作用について説明すると、実装にあたっては、プリント基板１に対してパネル２を前方に配し、パネルの各穴２０にそれぞれのロータリーエンコーダ４の回転軸４０をあわせ、その状態で穴２０につまみ３を所要長さ挿入して前記回転軸４０につまみ本体３ａの内筒部３０を嵌合する。
無負荷状態では各リブ３２は伸びた状態にあり、したがって、図５のように、ロータリーエンコーダ４の回転軸４０がパネル穴２０と同心で偏心量がゼロある場合には、外筒部３に外力が作用しないので、各リブ３２には変形が起こらず、内筒部２と外筒部３は同心状の関係におかれる。
【００１４】
ところが、何らかの誤差の影響で回転軸４０の軸線がパネル穴２０に対し中心がずれて偏芯状態（ｅ：偏心量）である場合には、外筒部３に偏心に呼応する外力が作用する。すなわち、外筒部３０は組込状態でパネル穴２０と干渉して外力を受ける。その結果、反偏心側のリブ３２は圧縮を受けて弧が小さくなるように弾性変形し、偏心側のリブ３２は伸びた状態を維持する。したがって、外筒部３０は内筒部２に対して一定の範囲内で半径方向に変位可能となるので、外筒部３０はパネルと同心円の位置に矯正される。
【００１５】
従来ではつまみは樹脂材料で成形されているものの、つまみ外周部と軸嵌合部の間の弾性がほとんど無いため、つまみ外周面とパネル穴内面の接触面圧が増大し引掛り／動作不良を発生させていたが、本発明によれば、偏芯によるつまみ３とパネル穴２０の接触面圧増大を円弧状のリブ３２が自動的に無段階で吸収するので、つまみ外周面とパネル穴内面の摩擦抵抗が減少され、つまみの引掛り／動作不良を防止することが可能になる。したがってまた、パネル穴２０のつまみに対するクリアランスをことさら大きくしなくてもよくなるので、異物の侵入も防止できる。
【００１６】
なお、キャップ３ｂは予め本体３ａに固定一体化しておいてもよいが、分離しておいて本体３ａの実装後に本体３ａに固定するようにした場合には、軸方向が視認できるため、内筒部３ａの回転軸４ａへの嵌合作業が容易となり、また、外筒部３ｂの外周面とパネル穴２０との干渉具合の確認も容易となる。
なお、本発明はロータリーエンコーダ４が複数個並んでいる場合に好適であるが、パネル穴とエンコーダ軸とが芯ずれを起こしている場合に補正効果があるので、１個の場合にも適用される。
【００１７】
本実施例においては、内筒部３０と外筒部３１およびリブ３２が一体成形されている。これによれば、たとえば押し出し成形したものを切断してつまみを製作できるのでコストを安くすることができる。
しかし、本発明は必ずしもこの態様に限定されるものではなく、２部体以上を作り、それらを組付けて内筒部３０と外筒部３１およびリブ３２を構成してもよい。たとえば、外筒部体と、リブを一体化した内筒部体をそれぞれ作り、リブの外径側に外筒部体を嵌合固着してもよい。これによれば、外筒部体を硬質な材料で構成することができるので、手触りや操作感をよくすることができ、また、リブの形状や大きさの自由度が増す利点がある。
【図面の簡単な説明】
【００１８】
【図１】従来の操作つまみの実装前の状態を示す斜視図である。
【図２】実装状態の正面図である。
【図３】本発明による回転つまみの実装前の状態を示す斜視図である。
【図４】実装状態の縦断側面図である。
【図５】パネル穴と回転軸の軸心が一致している場合の回転つまみとパネル穴との関係を示す部分切欠正面図である。
【図６】パネル穴と回転軸の軸心が一致してない場合の回転つまみとパネル穴との関係を示す部分切欠正面図である。
【符号の説明】
【００１９】
１  プリント基板
２  パネル
３  つまみ
３ａ  つまみ本体
３ｂ  キャップ
４  電気部品（ロータリーエンコーダ）
２０  パネル穴
３０  内筒部
３１  外筒部
３２  リブ
４０  回転軸
【図１】
2007242458.tif 000003
【図２】
2007242458.tif 000004
【図３】
2007242458.tif 000005
【図４】
2007242458.tif 000006
【図５】
2007242458.tif 000007
【図６】
2007242458.tif 000008